(57)【要約】【課題】電位治療と温熱治療とにマッサージ治療を組み合わせることによって、高い疲労回復力・血行の改善・神経痛・筋肉痛を緩解し、肩こり・頭痛・慢性便秘解消に高い効果を与える家庭用電気治療装置を提供する。【解決手段】ベットマット１０に加温電気ヒータ１０ｂを設け、同加温電気ヒータ１０ｂの電源開と温度調整とを行う温熱コントローラ１１ｂを設け、ベットマット１０に振動を与える加振器１０ｃとその電源の開閉と強弱を制御するマッサージコントローラ１１ｄとを設け、ベットマット１０に電位面を設け、同電位面に電圧を印加し制御する電位コントローラ１１ｃを設け、各コントローラを制御して加振器１０ｃによるマッサージ治療を電位治療と温熱治療の間に間欠的に行えるようにする。【選択図】          図２
2004357756.tif 000002
【特許請求の範囲】
【請求項１】
ベットマットに加温電気ヒータを設け、同加温電気ヒータの電源開閉と温度調整とを行う温熱コントローラを設け、又ベットマットに振動を与える加振器を複数設け、同加振器の電源の開閉と強弱を制御するマッサージコントローラを設け、ベットマットに電位面を設け、同電位面に対地電圧を印加する制御を行う電位コントローラとを設け、電気ヒータによる温熱治療と，加振器によるマッサージ治療と，電位面に負電位の対地電圧を印加して電場をベット上に形成する電位治療とを選択的に・交互又は同時に行えるようにしたことを特徴とする家庭用電気治療装置。
【請求項２】
電気ヒータを面状電位面とした請求項１記載の家庭用電気治療装置。
【請求項３】
温熱治療用コントローラと電位コントローラとは電気ヒータと電位面とが交互に通電されるように制御し、温熱治療と電位治療を交互に施用できるようにした請求項１又は２記載の家庭用電気治療装置。
【請求項４】
電気ヒータと電位面への交互の通電の間に数分〜数十分の間間欠的に加振器を作動させて、マッサージ治療を割り込ませるようにした請求項３記載の家庭用電気治療装置。
【請求項５】
電気ヒータが通常作動され、電気ヒータを非通電として加振器を数分乃至数十分の間割り込むように通電させて、温熱治療の間にマッサージ治療が間欠的に割り込むようにした請求項１又は２記載の家庭用電気治療装置。
【請求項６】
電位面が通常印加され、加振器を数分乃至数十分の間割り込ませるようにした請求項１又は２記載の家庭用電気治療装置。
【発明の詳細な説明】
【０００１】
【発明の属する技術分野】
本発明は、ベットマット形式で、家庭で健康によいとされる温熱治療，電位治療，マッサージ治療を選択的に・交互又は同時に行えるようにして、血行をよくし、疲労回復・胃腸の働きを活発にし、神経痛・筋肉痛の痛みを緩解し、又頭痛・肩こり・不眠症・慢性便秘を解消するための装置である。
【０００２】
【従来の技術】
本出願人は、ベットマットに電気ヒータと面状電位面を設け、電気ヒータを作動させて温熱治療を行い、又これを停止して電位面に負の電位を印加して、電位治療に切り換えて、これを交互に繰り返して治療する家庭用交互治療装置を開発した。
【０００３】
【発明が解決しようとする課題】
本発明が解決しようとする課題は、従来の治療装置の機能に更にマッサージ治療方法を加えて、より健康に優れ、高い疲労回復力・血行の改善・神経痛・筋肉痛を緩解し、肩こり・頭痛・慢性便秘解消に高い効果を有する家庭用電気治療装置を提供することにある。
【０００４】
【課題を解決するための手段】
かかる課題を解決した本発明の構成は、
１）  ベットマットに加温電気ヒータを設け、同加温電気ヒータの電源開閉と温度調整とを行う温熱コントローラを設け、又ベットマットに振動を与える加振器を複数設け、同加振器の電源の開閉と強弱を制御するマッサージコントローラを設け、ベットマットに電位面を設け、同電位面に対地電圧を印加する制御を行う電位コントローラとを設け、電気ヒータによる温熱治療と，加振器によるマッサージ治療と，電位面に負電位の対地電圧を印加して電場をベット上に形成する電位治療とを選択的に・交互又は同時に行えるようにしたことを特徴とする家庭用電気治療装置
２）  電気ヒータを面状電位面とした前記１）記載の家庭用電気治療装置
３）  温熱治療用コントローラと電位コントローラとは電気ヒータと電位面とが交互に通電されるように制御し、温熱治療と電位治療を交互に施用できるようにした前記１）又は２）記載の家庭用電気治療装置
４）  電気ヒータと電位面への交互の通電の間に数分〜数十分の間間欠的に加振器を作動させて、マッサージ治療を割り込ませるようにした前記３）記載の家庭用電気治療装置
５）  電気ヒータが通常作動され、電気ヒータを非通電として加振器を数分乃至数十分の間割り込むように通電させて、温熱治療の間にマッサージ治療が間欠的に割り込むようにした前記１）又は２）記載の家庭用電気治療装置
６）  電位面が通常印加され、加振器を数分乃至数十分の間割り込ませるようにした前記１）又は２）記載の家庭用電気治療装置
にある。
【０００５】
【発明の実施の形態】
本発明のマッサージの加振器としては、振動モータを用いるのが制御が容易で好ましい。又加振器は複数人体のつぼの位置に配置することが好ましい。
本発明の電位治療の電位面は、温熱治療の面状のカーボン等の導電性媒体を用いた加温ヒータをそのまま印加して電極面とすることがコストを低減し、構造を簡単にするので好ましい。そのため加温電気ヒータとしては、カーボンヒータが好ましい。
本発明のマッサージの割り込みは手動操作によって行う方法と又はプログラムされて温熱治療・電位治療又は交互治療の適切な時間・時刻に所定の時間（５〜３０分程度）割り込みを入れるようにする方法がある。
【０００６】
【実施例】
以下、本発明の実施例を図面に基づいて説明する。
図１は、実施例の家庭用電気治療装置を示す説明図である。
図２は、実施例のベットマットの断面図である。
図３は、実施例の加振器の配置位置を示す説明図である。
図４は、実施例のコントローラの回路ブロック図である。
図５は、実施例の作動形態を示す説明図である。
図６は実施例の操作盤を示す平面図である。
図中、１は実施例の家庭用電気治療装置、１０〜１１ｊは同家庭用電気治療装置１の構成部分で、１０はベットマット、１０ａはベットマット外装シート、１０ｂは面状カーボンヒータを用いた温熱治療用加温電気ヒータで、電位治療用電位面を兼用している。１０ｃは振動モータを用いた加振器、１０ｄはマットシート１の基板、１０ｅは軟質発泡樹脂層、１１は家庭用電気治療装置の操作盤、１１ａは操作盤の電源コード、１１ｂは操作盤にある加温電気ヒータ１０ｂの温熱コントローラで、加温電気ヒータ１０ｂの開閉とタイマーと加熱面の切換と消費電力の調整による加温温度の調整を行う。１１ｂ１は電源遮断部、１１ｂ２は温度センサー線、１１ｂ３は電力コントロール用トライアック、１１ｂ４は温度比較部、１１ｂ５は感熱線断線検出部、１１ｂ６は温度過昇検出部である。１１ｃは電位コントローラで負圧電圧値と通電時間とを調整する。１１ｃ１は電位コントローラ１１ｃ内の整流部，１１ｃ２は電流制限抵抗、１１ｄは複数ある加振器１０ｃの開閉とタイマーとを制御するマッサージコントローラ、１１ｄ１はスイッチング電源部、１１ｄ２はマッサージ制御マイコン、１１ｄ３はモータドライバ、１１ｄ４は電源供給用フォト・トライアック、１１ｅは温熱と電位とその交互とのモード切換用切換スイッチ、１１ｆは１時間タイマースイッチ、１１ｇは電位コントローラ１１ｃへの電源供給用フォト・トライアック，１１ｈは温熱電源スイッチ、１１ｉはこれらのスイッチ・タイマーの入力によってマッサージコントローラ１１ｄ，温熱コントローラ１１ｂ，電位コントローラ１１ｃを制御する４ビットマイクロコンピュータ、１１ｊはマイコンを用いたワイヤードリモコン、１１ｊ１はマッサージ，その強弱，ウェーブ，ポイント等のマッサージモード・加振ポイントの選択ボタン、Ｍ１〜Ｍ５はワイヤードリモコン１１ｊの選択ボタンの各ボタンである。
【０００７】
本実施例では、ＡＣ１００Ｖの商用電源に電源コード１１ａを接続し、温熱電源スイッチを作動させると、４ビットマイクロコンピュータ１１ｉが作動する。温熱治療を行う場合は温熱電源スイッチ１１ｈを入れ、切換スイッチ１１ｅを温熱に選ぶ、するとＡＣ１００Ｖ電源は電力コントロール用トライアック１１ｂ３を介してカーボンヒータを用いた加温電気ヒータ１０ｂに通電し、ベットマット１０の上面を加熱する。加温電気ヒータ１０ｂの温度は内蔵の温度センサー線１１ｂ２によって検出され、温熱コントローラ１１ｂの温度比較部１１ｂ４に入力されて設定温度と比較され、４ビットマイクロコンピュータ１１ｉに入力され、温度の制御がなされる。又温度センサー線１１ｂ２からの信号の状態から、感熱線断線検出部１１ｂ５によって温度センサー線１１ｂ２の断線を検出し、検出するとコンピュータ１１ｉに入力し、通電を止めるようになっている。又同様に温度過昇検出部１１ｂ６によって温度が上限温度以上になれば警報信号・ヒータ給電停止信号をコンピュータ１１ｉへ出力し、同コンピュータ１１ｉによってヒータの停止又は通電値を下げる等の制御を行っている。
【０００８】
このように加温電気ヒータ１１ｂでベットマット１０の表面温度を３８℃前後の設定温度にして、ベット上の人を温めて温熱治療を行うようになっている。この温熱治療は８〜１２時間という長い時間使用されることが多く、夜間寝眠時になされることが多い。
使用時間（タイマー時間）・温度設定は操作盤１１によってなされる。
【０００９】
次に、電位治療する場合は切換スイッチ１１ｅを電位に選択すると、４ビットマイクロコンピュータ１１ｉはフォト・トライアック１１ｇを作動させ、電位コントローラ１１ｃにＡＣ１００Ｖを給電する。同電位コントローラ１１ｃではＡＣ１００Ｖの電圧はその整流部１１ｃ１によって整流され、電流制限抵抗１１ｃ２を介して面状のカーボンヒータである加温電気ヒータ１０ｂに印加される。印加する電圧は対地電圧で−１３２Ｖ，−３００Ｖ程であり、これによってベッドマット１０上方に電場を形成し、この電場でベットマット１０上の人に対して電位治療できるようになっている。連続して８時間程の電位治療を可能としている。
【００１０】
マッサージ治療する場合は、ワイヤードリモコン１１ｊのマッサージボタンＭ１を押すとマッサージコントローラ１１ｄが作動し、その強さボタンＭ２でマッサージの強弱を決定し、又ウェーブボタンＭ３で揉み上げるウェーブ状のマッサージを行うことを選択でき、又ポイントボタンＭ４によって図３に示す８箇所の人体のつぼの位置に配置された加振器１０ｃを選んで作動させるようになっている。
マッサージリモコン１１ｊでは、フォト・トライアック１１ｄ４を介してＡＣ１００Ｖがスイッチング電源部１１ｄ１に給電され、マッサージ制御マイコン１１ｄ２は選択された強弱・ウェーブ・ポイント等に応じるようにモータドライバ１１ｄ３を制御し、モータを用いた加振器１０ｃを作動させる。
【００１１】
本実施例では、上記のように温熱治療単独施用、電位治療単独施用、マッサージ治療単独施用（図５の（ａ），（ｂ）参照）の他に、切換スイッチ１１ｅで交互モードを選択すると、温熱治療と電位治療の交互治療を行うように温熱コントローラ１１ｂと電位コントローラ１１ｃとを交互に作動させるように４ビットマイクロコンピュータ１１ｉは制御できるようにしている。その５分間交互動作の交互モードを図５（ｃ）に示している。
【００１２】
更に、本実施例では、マッサージコントローラ１１ｂを間欠的に他の治療モード・交互治療モードに５〜１５分の間割り込ませることができるようにしている。図５（ｄ），（ｅ），（ｆ）にその割り込み例を示している。この割り込みはワイヤードリモコン１１ｊを用いて手動操作で行ってもよいし、又は４ビットマイクロコンピュータ１１ｉにプログラムして所定の時間間隔で、所定のマッサージ時間に割り込みを入れるようにもできる。
図５（ｄ）は、温熱治療モードの途中に５〜１５分の間、ワイヤードリモコン１１ｊの電源スイッチの操作でマッサージ治療を割り込みできるようにした例である。
図５（ｅ）は、電位治療モードの途中に５〜１５分の間、ワイヤードリモコン１１ｊの電源スイッチの操作でマッサージ治療を割り込みできるようにする例である。
図５（ｆ）は、上記の交互治療モードの途中に５〜１５分のマッサージ治療を割り込みできるようにした例である。
【００１３】
以上の様に、実施例では、温熱治療，電位治療，又は交互治療の間にマッサージ治療を割り込ませることができるので、温熱・電位治療中に機械的刺激を生体に与えて物理療法を与え、温熱・電位の治療効果を更に高めることができた。又マッサージ効果によって肩こり，筋肉疲労の回復，血行を良好にする等の効果を相乗的に高めることができる。
【００１４】
【発明の効果】
以上の様に、本発明によれば、温熱・電位治療の間にマッサージ治療を割り込ませることができたことで、温熱治療・電位治療又はその交互治療の途中で物理的刺激を与えて、これら治療効果を更に高めることができる。又、マッサージ効果のみの作動で、マッサージ機としても機能でき、巾広い健康増進・治療効果を高めることができる。
【図面の簡単な説明】
【図１】実施例の家庭用電気治療装置を示す説明図である。
【図２】実施例のベットマットの断面図である。
【図３】実施例の加振器の配置位置を示す説明図である。
【図４】実施例のコントローラの回路ブロック図である。
【図５】実施例の作動形態を示す説明図である。
【図６】実施例の操作盤を示す平面図である。
【符号の説明】
１  家庭用電気治療装置
１０  ベットマット
１０ａ  ベットマット外装シート
１０ｂ  加温電気ヒータ
１０ｃ  加振器
１０ｄ  基板
１０ｅ  軟質発泡樹脂層
１１  操作盤
１１ａ  電源コード
１１ｂ  温熱コントローラ
１１ｂ１  電源遮断部
１１ｂ２  温度センサー線
１１ｂ３  電力コントロール用トライアック
１１ｂ４  温度比較部
１１ｂ５  感熱線断線検出部
１１ｂ６  温度過昇検出部
１１ｃ  電位コントローラ
１１ｃ１  整流部
１１ｃ２  電流制限抵抗
１１ｄ  マッサージコントローラ
１１ｄ１  スイッチング電源部
１１ｄ２  マッサージ制御マイコン
１１ｄ３  モータドライバ
１１ｄ４  フォト・トライアック
１１ｅ  切換スイッチ
１１ｆ  １時間タイマースイッチ
１１ｇ  フォトトライアック
１１ｈ  温熱電源スイッチ
１１ｉ  ４ビットマイクロコンピュータ
１１ｊ  ワイヤードリモコン
１１ｊ１  マッサージモード・ポイント選択ボタン
Ｍ１〜Ｍ５  ワイヤードリモコン１１ｊの選択ボタンの各ボタン
【図１】
2004357756.tif 000003
【図２】
2004357756.tif 000004
【図３】
2004357756.tif 000005
【図４】
2004357756.tif 000006
【図５】
2004357756.tif 000007
【図６】
2004357756.tif 000008